(57)【特許請求の範囲】
【請求項１】
電子機器の前面を構成する前パネルに、スイッチを作動させる押しボタンが案内部を介してスライド可能に設けられるボタン案内構造において、
前記前パネルは、前記押しボタンの一部が挿入される筒部を備え、
前記押しボタンは、前記筒部に挿入されるボタン本体部と、このボタン本体部を囲むように設けられるとともに、前記ボタン本体部を前記筒部に挿入したときに前記筒部を包み込む外筒部とを備え、
前記筒部の外面と前記外筒部とに前記案内部が設けられ、
前記筒部は、断面矩形状に形成され、前記案内部は、前記筒部および前記外筒部の周方向の全４面に形成され、
前記押しボタン本体部を押したときに、前記筒部から前記押しボタン本体部が抜けるのを防止する抜け止め部が、前記案内部とは別体として前記筒部と前記外筒部とに設けられ、
前記抜け止め部は、前記押しボタン本体部を押したときに、前記外筒部に設けた前記抜け止め部の前端面が、前記筒部に設けた前記抜け止め部の前端面に当って前記押しボタン本体部の移動を規制することを特徴とするボタン案内構造。
【請求項２】
前記案内部は、前記筒部の外面に前記押しボタンのスライド方向に延びるように設けられたリブと、前記リブと摺動可能に係合するように前記外筒部に設けられたリブ係合部とを備えることを特徴とする請求項１に記載のボタン案内構造。
【請求項３】
前記リブ係合部は、スリット又は溝であることを特徴とする請求項２に記載のボタン案内構造。
【請求項４】
前記リブは、前記リブ係合部と共に、前記押しボタンのスライド位置を規制することを特徴とする請求項２又は３に記載のボタン案内構造。
【請求項５】
前記抜け止め部は、前記筒部の外面から突出する凸部と、前記凸部と係合するように前記外筒部に設けられた穴部とを備えることを特徴とする請求項１乃至４のいずれかに記載のボタン案内構造。
【発明の詳細な説明】
【技術分野】
【０００１】
本発明は、前面に塗装が施される前パネルに押しボタンを備えた車載機器等のボタン案内構造に関する。
【背景技術】
【０００２】
従来、車載機器等を操作する際に使用する押しボタンをスライド可能に案内するボタン案内構造が知られている（例えば、特許文献１参照）。
上記ボタン案内構造は、機器本体側に設けられたガイド溝部と、押しボタンに設けられたガイドリブとから構成され、ガイド溝部にガイドリブがスライド可能に係合する。
【先行技術文献】
【特許文献】
【０００３】
【特許文献１】特開２０１３−１３７９７２号公報
【発明の概要】
【発明が解決しようとする課題】
【０００４】
特許文献１では、例えば、機器本体のフロントパネル側にガイド溝部が設けられた状態で、フロントパネルの表面に塗料を吹き付けて塗装する場合、塗料がフロントパネルの開口を通じてガイド溝部に吹き付けられて付着すると、塗装が完了した後に機器本体に押しボタンを組付けた際に、押しボタンの操作フィーリングに影響を及ぼすことがある。これを防止するために、ガイド溝部をマスキングする必要があるが、マスキング治具を準備するコストやマスキングを行う工数が増える。更に、マスキングを行っても、わずかな隙間から塗料がガイド溝部に回り込むことがあり、塗装品質がばらつきやすい。
本発明の目的は、コスト・工数低減及び品質向上が図れるボタン案内構造を提供することにある。
【課題を解決するための手段】
【０００５】
この明細書には、２０１４年１１月２１日に出願された日本国特許出願・特願２０１４−２３６５６８の全ての内容が含まれる。
上述した課題を解決するため、本発明は、電子機器の前面を構成する前パネルに、スイッチを作動させる押しボタンが案内部を介してスライド可能に設けられるボタン案内構造において、前記前パネルは、前記押しボタンの一部が挿入される筒部を備え、前記押しボタンは、前記筒部に挿入されるボタン本体部と、このボタン本体部を囲むように設けられるとともに、前記ボタン本体部を前記筒部に挿入したときに前記筒部を包み込む外筒部とを備え、前記筒部の外面と前記外筒部とに前記案内部が設けられ、前記筒部は、断面矩形状に形成され、前記案内部は、前記筒部および前記外筒部の周方向の全４面に形成され、前記押しボタン本体部を押したときに、前記筒部から前記押しボタン本体部が抜けるのを防止する抜け止め部が、前記案内部とは別体として前記筒部と前記外筒部とに設けられ、前記抜け止め部は、前記押しボタン本体部を押したときに、前記外筒部に設けた前記抜け止め部の前端面が、前記筒部に設けた前記抜け止め部の前端面に当って前記押しボタン本体部の移動を規制することを特徴とする。
【０００６】
この構成によれば、前パネルを塗装する際に、塗料が筒部の外面側に設けられた案内部に付着することがないため、従来のような案内部に対する塗装のためのマスキングが不要になり、マスキング治具のコストやマスキングの工数を低減することができ、また、マスキングを行った場合のような塗装品質のばらつきがなくなり、コスト・工数の低減及び品質の向上を図ることができる。
また、この構成によれば、押しボタンの抜け止め部でスライド位置規制部材を兼ねることができ、部品数を減らすことができて、コストを低減することができる。
【０００７】
上記構成において、前記案内部は、前記筒部の外面に前記押しボタンのスライド方向に延びるように設けられたリブと、前記リブと摺動可能に係合するように前記外筒部に設けられたリブ係合部とを備えるようにしても良い。この構成によれば、リブとリブ係合部とが摺動可能に係合する簡単な構造とすることができ、コストを低減することができる。
また、上記構成において、前記リブ係合部は、スリット又は溝であっても良い。この構成によれば、スリット又は溝を容易に形成することができ、コストを低減することができる。
【０００８】
また、上記構成において、前記リブは、前記リブ係合部と共に、前記押しボタンのスライド位置を規制するようにしても良い。この構成によれば、押しボタンを案内するリブ及びリブ係合部で、押しボタンの位置決め部を構成することができ、位置決め部を別に設けるのに比べて前パネル及び押しボタンの形状の簡素化、部品点数削減を図ることができ、コストを低減することができる。
また、上記構成において、前記抜け止め部は、前記筒部の外面から突出する凸部と、前記凸部と係合するように前記外筒部に設けられた穴部とを備えても良い。
【発明の効果】
【０００９】
本発明の前パネルは、ボタンの一部が挿入される筒部を備え、押しボタンは、筒部に挿入されるボタン本体部と、このボタン本体部を囲むように設けられるとともに、ボタン本体部を筒部に挿入したときに筒部を包み込む外筒部とを備え、筒部の外面と外筒部とに案内部が設けられるので、前パネルを塗装する際に、塗料が筒部の外面側に設けられた案内部に付着することがないため、従来のような案内部に対する塗装のためのマスキングが不要になり、マスキング治具のコストやマスキングの工数を低減することができ、また、マスキングを行った場合のような塗装品質のばらつきがなくなり、コスト・工数の低減及び品質の向上を図ることができる。
【図面の簡単な説明】
【００１０】
【図１】本発明の一実施形態の押しボタン案内構造を採用した車載装置の斜視図である。
【図２】前パネル及び前パネルに装着された押しボタンを斜め前方から見た状態を示す斜視図である。
【図３】前パネル及び前パネルから外した押しボタンを斜め前方から見た状態を示す斜視図である。
【図４】前パネル及び前パネルに装着された押しボタンを斜め後方から見た状態を示す斜視図である。
【図５】前パネル及び前パネルから外した押しボタンを斜め後方から見た状態を示す斜視図である。
【図６】前パネル及び押しボタンを示す平面図であり、図６（Ａ）は前パネルの前壁及び筒部を示す平面図、図６（Ｂ）は押しボタンを示す平面図である。
【図７】前パネルの筒部と押しボタンとの嵌合状態を示す平面図であり、図７（Ａ）は押しボタンを押す前の状態を示す平面図、図７（Ｂ）は押しボタンを押した後の状態を示す平面図である。
【図８】図２のＶＩＩＩ−ＶＩＩＩ線断面図である。
【発明を実施するための形態】
【００１１】
以下、図面を参照して本発明の一実施形態について説明する。なお、各図面の中で車載装置１０の手前側（前方）を矢印ＦＲで表す。
図１は、本発明の一実施形態の押しボタン案内構造を採用した車載装置１０の斜視図である。
車載装置１０は、その前面を構成する樹脂製の前パネル１１と、前パネル１１の後部に取付けられる回路基板１３とを備える。なお、符号１５は、前パネル１１に回路基板１３を取付けるためのビスである。
車載装置１０は、ＣＤ、ＤＶＤ等を再生するオーディオ装置、指定された目的地までの経路を探索するナビゲーション装置等の車載用電子機器などであり、車両のインストルメントパネル等に設けられる収納スペースに埋め込まれて搭載される。
【００１２】
前パネル１１は、操作部としての複数の樹脂製の押しボタン２１，２２，２３が設けられている。例えば、一つの押しボタン２３は、前パネル１１の上部に設けられた開口１１ａ内に後方から挿入されるとともに開口１１ａから抜けないように抜け止めされ、更に、押しボタン２３の後端部に、回路基板１３に設けられたスイッチ２５が当てられている。従って、押しボタン２３を車載装置１０の手前側から奥側に押せば、スイッチ２５の可動接点が固定接点に接触し、スイッチ２５がオンになる。この結果、回路基板１３に設けられた所定の回路が閉じた状態となって通電し、所定の機能が実行される。
【００１３】
図２は、前パネル１１及び前パネル１１に装着された押しボタン２３を斜め前方から見た状態を示す斜視図である。図３は、前パネル１１及び前パネル１１から外した押しボタン２３を斜め前方から見た状態を示す斜視図である。
図２及び図３に示すように、前パネル１１は、略平板状の前壁１１ｊと、前壁１１ｊに開けられた開口１１ａと、開口１１ａの縁部から後方に略垂直に延びる断面矩形状の筒部１１ｂとを備え、筒部１１ｂに後方から押しボタン２３の一部が挿入される。
前壁１１ｊの表側の面１１ｃには、着色、装飾等のために吹き付け塗装が施されている。図中の複数のドットは、面１１ｃに吹き付け塗装されて出来た塗装面であることを示す。吹き付け塗装によって吹き付けられた塗料は、面１１ｃだけでなく、筒部１１ｂの内面１１ｈにも付着し、塗装面を形成している。なお、押しボタン２３については、少なくとも筒部１１ｂ等と摺動する部分には塗装が実施されていない。
【００１４】
押しボタン２３は、筒部１１ｂ内に挿入されるボタン本体部２３ａと、ボタン本体部２３ａを囲む箱状の外筒部２３ｂとを備える。
ボタン本体部２３ａは、指等で押される前壁２３ｃと、前壁２３ｃの上縁、下縁、側縁からそれぞれ後方に延びる上壁２３ｄ、下壁２３ｅ、側壁２３ｆ，２３ｇとを備える。
外筒部２３ｂは、ボタン本体部２３ａを筒部１１ｂ内に挿入したときに筒部１１ｂを包み込む部分であり、ボタン本体部２３ａの上壁２３ｄ、下壁２３ｅ、側壁２３ｆ，２３ｇにそれぞれ対向するように設けられた上壁２３ｈ、下壁２３ｊ、側壁２３ｍ，２３ｎを備える。上壁２３ｈ、下壁２３ｊ、側壁２３ｍ，２３ｎは、それぞれの前縁部から後方に延びるスリット２３ｋが形成されている。
【００１５】
図４は、前パネル１１及び前パネル１１に装着された押しボタン２３を斜め後方から見た状態を示す斜視図である。図５は、前パネル１１及び前パネル１１から外した押しボタン２３を斜め後方から見た状態を示す斜視図である。
図４及び図５に示すように、前パネル１１の筒部１１ｂは、前壁１１ｊから後方に一体に延びる上壁１１ｄ、下壁１１ｅ、側壁１１ｆ，１１ｇからなり、上壁１１ｄ、下壁１１ｅ、側壁１１ｆ，１１ｇの外面１１ｗに前壁１１ｊから略垂直に延びる、即ち前後方向に延びるリブ１１ｋが一体に形成されている。リブ１１ｋとスリット２３ｋは、摺動可能に係合し、複数（４つ）のリブ１１ｋと複数（４つ）のスリット２３ｋとは、案内部２７を構成する。
上壁１１ｄには、リブ１１ｋの一方の側に外面１１ｗから上方に突出するストッパ凸部１１ｍが形成されている。ストッパ凸部１１ｍは、その上面に、前側に設けられた平坦面１１ｐと、後部に後下がりに形成された斜面１１ｑとを備える。
【００１６】
押しボタン２３の上壁２３ｈは、スリット２３ｋの一方の側に、筒部１１ｂのストッパ凸部１１ｍと係合するストッパ穴部２３ｐが形成されている。ストッパ凸部１１ｍ及びストッパ穴部２３ｐは、筒部１１ｂから押しボタン２３が抜けないようにする抜け止め部２８を構成する。ストッパ凸部１１ｍ及びストッパ穴部２３ｐのそれぞれの前端が前後方向に当ることにより、筒部１１ｂから押しボタン２３が抜け止めされる。ストッパ凸部１１ｍの斜面１１ｑは、筒部１１ｂに押しボタン２３を装着する際、ストッパ凸部１１ｍを可撓性を有する外筒部２３ｂの内側に容易に移動させて、ストッパ凸部１１ｍとストッパ穴部２３ｐとをスムーズに係合させるための部分である。
【００１７】
押しボタン２３のボタン本体部２３ａと外筒部２３ｂとは、後端に設けられた枠状の接続壁２３ｑで一体に接続される。
ボタン本体部２３ａの内面２３ｚには、背面視で略横Ｕ字形状の厚肉部２３ｒが一体に設けられ、厚肉部２３ｒの背面２３ｓに後方に突出するスイッチ当接部２３ｔが一体成形されている。スイッチ当接部２３ｔは、スイッチ２５（図１参照）の可動接点を押す部分であり、押しボタン２３を押したときに、スイッチ当接部２３ｔを介してスイッチ２５がオンにされる。
【００１８】
図６は、前パネル１１及び押しボタン２３を示す平面図である。図６（Ａ）は前パネル１１の前壁１１ｊ及び筒部１１ｂを示す平面図、図６（Ｂ）は押しボタン２３を示す平面図である。
図６（Ａ），（Ｂ）に示すように、前パネル１１のリブ１１ｋは、上壁１１ｄ及び下壁１１ｅ（図５参照）では、筒部１１ｂの左右幅（図の上下方向の幅）の中央部に配置され、側壁１１ｆ，１１ｇでは、筒部１１ｂの上下幅の中央部に配置される（図５も参照）。
リブ１１ｋの前端は、前壁１１ｊの背面１１ｔに一体に接続され、リブ１１ｋの後端面１１ｕは、筒部１１ｂの後端面１１ｖと同一平面上に位置する。
【００１９】
また、リブ１１ｋの幅Ｗ１に対して、スリット２３ｋの幅Ｗ２は、リブ１１ｋがスリット２３ｋ内をスムーズにスライドするように大きく形成される。外筒部２３ｂの肉厚（上壁２３ｈ、下壁２３ｊ（図５参照）、側壁２３ｍ，２３ｎの肉厚）Ｔは、リブ１１ｋの筒部１１ｂの外面１１ｗからの高さＨより小さく形成される。
スイッチ当接部２３ｔの後端面２３ｗは、接続壁２３ｑの背面２３ｘと同一平面状に位置する。ストッパ凸部１１ｍ及びストッパ穴部２３ｐは、それぞれの輪郭が矩形に形成されている。
【００２０】
図７は、前パネル１１の筒部１１ｂと押しボタン２３との嵌合状態を示す平面図である。図７（Ａ）は押しボタン２３を押す前の状態を示す平面図、図７（Ｂ）は押しボタン２３を押した後の状態を示す平面図である。
図７（Ａ）に示すように、筒部１１ｂのリブ１１ｋの後端面１１ｕに、押しボタン２３のスリット２３ｋの後端面２３ｕが当って、押しボタン２３が、スライド方向の最前方位置に位置決めされる。押しボタン２３は、スイッチ２５（図１参照）の可動接点の弾性力で前方に付勢され、この結果、スリット２３ｋの後端面２３ｕが、リブ１１ｋの後端面１１ｕに押し当てられる。
また、筒部１１ｂのストッパ凸部１１ｍの前端面１１ｓと、押しボタン２３のストッパ穴部２３ｐの前端面２３ｖとの間には、クリアランスＣ１の隙間３１が形成されている。
【００２１】
図７（Ａ），（Ｂ）に示すように、押しボタン２３を白抜き矢印の向きに押すと、押しボタン２３は、後方にスライドする。やがて、押しボタン２３のストッパ穴部２３ｐの前端面２３ｖが、ストッパ凸部１１ｍの前端面１１ｓに当って、押しボタン２３が、スライド方向の最後方位置に位置決めされる。この時の押しボタン２３の全スライド量はＳである。
このように、抜け止めの作用をするストッパ凸部１１ｍとストッパ穴部２３ｐとで、押しボタン２３のスライド方向の後方への移動が規制される。
【００２２】
図８は、図２のＶＩＩＩ−ＶＩＩＩ線断面図である。
前パネル１１の筒部１１ｂの外面１１ｗに、押しボタン２３の外筒部２３ｂの内面２４ａが摺動可能に嵌合している。また、前パネル１１の筒部１１ｂの内面１１ｈと、押しボタン２３のボタン本体部２３ａの外面２３ｙとの間に、クリアランスＣ２の隙間３３が設けられる。この隙間３３は、筒部１１ｂとボタン本体部２３ａとにおいて、上壁１１ｄ，２３ｄ（図３及び図５参照）間、下壁１１ｅ，２３ｅ（図３及び図５参照）間、側壁１１ｆ，２３ｆ間、側壁１１ｇ，２３ｇ間のそれぞれに設けられる。
【００２３】
このように、筒部１１ｂの外面１１ｗに外筒部２３ｂの内面２４ａを摺動可能に嵌合させ、筒部１１ｂの内面１１ｈと、ボタン本体部２３ａの外面２３ｙとの間に隙間３３を設けることで、塗装が施されていない筒部１１ｂの外面１１ｗと外筒部２３ｂの内面２４ａとを摺動させ、筒部１１ｂの内面１１ｈ及びボタン本体部２３ａの外面２３ｙにそれぞれ施された塗装が摺動し合うのを防止することができ、押しボタン２３の操作フィーリングを良好にするとともに、摺動による傷が付かないようにすることができる。
また、リブ１１ｋは、押しボタン２３の外筒部２３ｂよりも突出量Ｐだけ突出している。この結果、リブ１１ｋとスリット２３ｋとの摺動面積を最大として、長期に亘ってリブ１１ｋとスリット２３ｋとの摺動による摩耗を抑制することができるとともに、筒部１１ｂの剛性をより高めることができる。
【００２４】
以上の図１、図３〜図５に示すように、電子機器等の前面を構成する前パネル１１に、スイッチ２５を作動させる押しボタン２３が案内部２７を介してスライド可能に設けられるボタン案内構造において、前パネル１１は、押しボタン２３の一部が挿入される筒部１１ｂを備え、押しボタン２３は、筒部１１ｂに挿入されるボタン本体部２３ａと、このボタン本体部２３ａを囲むように設けられるとともに、ボタン本体部２３ａを筒部１１ｂに挿入したときに筒部１１ｂを包み込む外筒部２３ｂとを備え、筒部１１ｂの外面１１ｗと外筒部２３ｂとに案内部２７が設けられる。
【００２５】
この構成によれば、前パネル１１を塗装する際に、塗料が筒部１１ｂの外面１１ｗ側に設けられた案内部２７に付着することがないため、従来のような案内部に対する塗装のためのマスキングが不要になり、マスキング治具のコストやマスキングの工数を低減することができ、また、マスキングを行った場合のような塗装品質のばらつきがなくなり、コスト・工数の低減及び品質の向上を図ることができる。
【００２６】
また、図５に示したように、案内部２７は、筒部１１ｂの外面１１ｗに押しボタン２３のスライド方向に延びるように設けられたリブ１１ｋと、リブ１１ｋと摺動可能に係合するように外筒部２３ｂに設けられたリブ係合部としてのスリット２３ｋとを備えるので、リブ１１ｋとスリット２３ｋとが摺動可能に係合する簡単な構造とすることができ、コストを低減することができる。
また、リブ係合部は、スリット２３ｋであるので、スリット２３ｋを容易に形成することができ、コストを低減することができる。
【００２７】
また、図７（Ａ），（Ｂ）に示したように、リブ１１ｋは、スリット２３ｋと共に、押しボタン２３のスライド位置を規制するので、押しボタン２３を案内するリブ１１ｋ及びスリット２３ｋで、押しボタン２３の位置決め部を構成することができ、位置決め部を別に設けるのに比べて前パネル１１及び押しボタン２３の形状の簡素化、部品点数削減を図ることができ、コストを低減することができる。
また、筒部１１ｂから押しボタン２３が抜けるのを防止する抜け止め部２８が、押しボタン２３のスライド位置を規制するので、押しボタン２３の抜け止め部２８でスライド位置規制部材を兼ねることができ、部品数を減らすことができて、コストを低減することができる。
【００２８】
上述した実施形態は、あくまでも本発明の一態様を示すものであり、本発明の主旨を逸脱しない範囲で任意に変形及び応用が可能である。
例えば、上記実施形態において、図５に示したように、リブ１１ｋと摺動可能に係合するように外筒部２３ｂに設けられたリブ係合部として、スリット２３ｋを設けたが、これに限らず、リブ係合部として、前パネルの筒部のリブに摺動可能に係合する溝（凹部）を押しボタンの外筒部の内面に設けても良い。
また、前パネルの筒部の外面に、押しボタンのスライド方向に延びる凹状部を設け、押しボタンの外筒部の内面に上記凹状部にスライド可能に係合する凸状部を設けても良い。
【符号の説明】
【００２９】
１１  前パネル
１１ｂ  筒部
１１ｋ  リブ
１１ｗ  筒部の外面
２１，２２，２３  押しボタン
２３ａ  ボタン本体部
２３ｂ  外筒部
２３ｋ  スリット（リブ係合部）
２５  スイッチ
２７  案内部
２８  抜け止め部
【図１】
0006454138.tif 000002
【図２】
0006454138.tif 000003
【図３】
0006454138.tif 000004
【図４】
0006454138.tif 000005
【図５】
0006454138.tif 000006
【図６】
0006454138.tif 000007
【図７】
0006454138.tif 000008
【図８】
0006454138.tif 000009